(57)【要約】【課題】建設工事に係わる関係者が建設現場を訪問する場合に、駐車場を確保し駐車場と建設現場との間の案内図や、建設現場の周辺の施設や店舗、駐車場から各施設や店舗への案内図等をすみやかに提供する。【解決手段】端末装置から要求を受け付けて、建設現場の住所５０を取得し駐車場の検索をして、選択された特定の駐車場の住所６２と建設現場の住所５０とを記憶装置２４に記憶させておく。上記端末装置により指定された出発地から上記駐車場の住所６２までのルート案内と、上記駐車場の住所６２から上記建設現場の住所５０までのルート案内とを実行する。さらに、周辺施設の案内も、自動的に駐車場の住所６２と建設現場の住所５０とを出発点として動作する。【選択図】図１
2015045589.tif 000002
【特許請求の範囲】
【請求項１】
端末装置からネットワークを通じて要求を受け付けて建設現場の案内処理を実行する演算処理装置と、その演算処理に必要なデータを記憶する記憶装置とを備え、
上記演算処理装置は、
上記端末装置からの要求を受け付けたときに、上記案内処理を開始する前に、建設現場の住所を取得して上記記憶装置に記憶させておく処理を実行する初期設定手段と、
上記記憶装置から建設現場の住所を読み出して、その建設現場の住所から一定の距離の範囲にある駐車場の検索をして、検索の結果抽出された駐車場のリストを表示し、上記駐車場のリストの中から上記端末装置の要求により選択された特定の駐車場の住所を記憶装置に記憶させておく処理を実行する駐車場検索依頼手段と、
上記の記憶装置から上記駐車場の住所を読み出して、上記端末装置により指定された出発地から上記駐車場の住所までのルート案内と、上記駐車場の住所から上記建設現場の住所までのルート案内とを実行する道案内手段とを備えたことを特徴とする建設工事現場案内システム。  
【請求項２】
上記初期設定手段は、上記端末装置から建設工事を特定する識別データを取得して、この識別データをキーにして建設工事に関する情報を含む建設計画データを参照して、上記建設現場の住所を取得し、記憶装置に記憶させることを特徴とする請求項１に記載の建設工事現場案内システム。
【請求項３】
上記道案内手段は、建設現場の近隣の施設を案内する処理を実行するときに、上記の処理で予め取得した建設現場の住所と利用者が使用した駐車場の住所のいずれか一方または両方を出発地とし、検索処理の結果得られた施設を目的値としてルート案内を実行することを特徴とする請求項１に記載の建設工事現場案内システム。
【請求項４】
上記道案内手段は、建設現場の近隣の施設へのルート案内を実行した後に、上記の処理で予め取得した建設現場の住所と駐車場の住所のいずれか一方または両方を目的値とし、検索処理の結果得られた施設を出発地としてルート案内を実行することを特徴とする請求項３に記載の建設工事現場案内システム。
【請求項５】
記憶装置に、利用者毎に、その利用者を特定するデータと、その利用者の使用した駐車場の住所とを記憶させておき、
上記道案内手段は、利用者毎に、該当する駐車場の住所を上記記憶装置から読み出して出発地または目的値に設定して、ルート案内を実行することを特徴とする請求項１乃至３のいずれかに記載の建設工事現場案内システム。
【請求項６】
記憶装置に、利用者毎に、その利用者を特定するデータと、その利用者の業種と利用日と検索履歴を含むデータを記憶させておき、工事進捗管理用のデータとすることを特徴とする請求項１乃至３のいずれかに記載の建設工事現場案内システム。
【請求項７】
コンピュータを、請求項１に記載の建設工事現場案内システムとして機能させる建設工事現場案内プログラム。
【請求項８】
請求項７に記載の建設工事現場案内プログラムを記録したコンピュータで読み取り可能な記録媒体。
【発明の詳細な説明】
【技術分野】
【０００１】
本発明は、建設工事関係者が建設現場で利用する、駐車場や最寄りの店舗等に関する情報を提供する建設工事現場案内システムと案内プログラムと記録媒体に関する。
【背景技術】
【０００２】
建設現場への交通手段として、自家用の乗用車やトラック等を使用する場合に、工事関係者は、予め建設現場の近隣の駐車場の場所を探す。駐車場経営会社からは、駐車場検索用のウェブサイトが提供されており、これを利用する（非特許文献１）（非特許文献２）。また、こうした時間貸し駐車場の空き状況を調査してデータベース化する技術も開発されている。
【先行技術文献】
【特許文献】
【０００３】
【非特許文献１】タイムズ駐車場検索ウェブサイトhttp://times-info.net/view/park/
【非特許文献２】リパーク駐車場検索ウェブサイトhttp://www.repark.jp/parking_user/time/
【特許文献１】特開２００１−２０２５４４号公報
【発明の概要】
【発明が解決しようとする課題】
【０００４】
既知の技術には、次のような解決すべき課題があった。
（１）駐車場を提供する会社別に公開されているウェブサイトでは、適切な駐車場探しに時間がかかりすぎる。また、建設現場の近辺の地理に不案内だと、その周辺の駐車場を案内されただけでは、車を降りてから道に迷うことがある。
（２）一定期間建設現場に通う者にとって、建設現場の近隣の施設や店舗を利用する用事が発生することがある。また、工事関係者には怪我も少なくないから、最寄りの医療施設も把握しておきたい。
（３）いずれの場合でも、個別にウェブサイトを利用して検索をすれば探索や案内が可能であるが、最適な情報を得るためには大変な手数がかかり、いずれも満足がいくものではない。
【０００５】
上記の課題を解決するために、本発明は次のような  建設工事現場案内システムを提供することを目的とする。即ち、建設工事に係わる関係者が建設現場を訪問する場合に、まず、駐車場を確保し、さらに、駐車場と建設現場との間の案内図や、建設現場の周辺の施設や店舗、駐車場から各施設や店舗への案内図等をすみやかに提供できる案内システムを提供することを目的とする。
【課題を解決するための手段】
【０００６】
以下の構成はそれぞれ上記の課題を解決するための手段である。
【０００７】
＜構成１＞
端末装置からネットワークを通じて要求を受け付けて建設現場の案内処理を実行する演算処理装置と、その演算処理に必要なデータを記憶する記憶装置とを備え、
上記演算処理装置は、
上記端末装置からの要求を受け付けたときに、上記案内処理を開始する前に、建設現場の住所を取得して上記記憶装置に記憶させておく処理を実行する初期設定手段と、
上記記憶装置から建設現場の住所を読み出して、その建設現場の住所から一定の距離の範囲にある駐車場の検索をして、検索の結果抽出された駐車場のリストを表示し、上記駐車場のリストの中から上記端末装置の要求により選択された特定の駐車場の住所を記憶装置に記憶させておく処理を実行する駐車場検索依頼手段と、
上記の記憶装置から上記駐車場の住所を読み出して、上記端末装置により指定された出発地から上記駐車場の住所までのルート案内と、上記駐車場の住所から上記建設現場の住所までのルート案内とを実行する道案内手段とを備えたことを特徴とする建設工事現場案内システム。
【０００８】
＜構成２＞
上記初期設定手段は、上記端末装置から建設工事を特定する識別データを取得して、この識別データをキーにして建設工事に関する情報を含む建設計画データを参照して、上記建設現場の住所を取得し、記憶装置に記憶させることを特徴とする構成１に記載の建設工事現場案内システム。
【０００９】
＜構成３＞
上記道案内手段は、建設現場の近隣の施設を案内する処理を実行するときに、上記の処理で予め取得した建設現場の住所と利用者が使用した駐車場の住所のいずれか一方または両方を出発地とし、検索処理の結果得られた施設を目的値としてルート案内を実行することを特徴とする構成１に記載の建設工事現場案内システム。
【００１０】
＜構成４＞
上記道案内手段は、建設現場の近隣の施設へのルート案内を実行した後に、上記の処理で予め取得した建設現場の住所と駐車場の住所のいずれか一方または両方を目的値とし、検索処理の結果得られた施設を出発地としてルート案内を実行することを特徴とする構成３に記載の建設工事現場案内システム。
【００１１】
＜構成５＞
記憶装置に、利用者毎に、その利用者を特定するデータと、その利用者の使用した駐車場の住所とを記憶させておき、
上記道案内手段は、利用者毎に、該当する駐車場の住所を上記記憶装置から読み出して出発地または目的値に設定して、ルート案内を実行することを特徴とする構成１乃至３のいずれかに記載の建設工事現場案内システム。
【００１２】
＜構成６＞
記憶装置に、利用者毎に、その利用者を特定するデータと、その利用者の業種と利用日と検索履歴を含むデータを記憶させておき、工事進捗管理用のデータとすることを特徴とする構成１乃至３のいずれかに記載の建設工事現場案内システム。
【００１３】
＜構成７＞
コンピュータを、構成１に記載の建設工事現場案内システムとして機能させる建設工事現場案内プログラム。
【００１４】
＜構成８＞
構成７に記載の建設工事現場案内プログラムを記録したコンピュータで読み取り可能な記録媒体。
【発明の効果】
【００１５】
＜構成１の効果＞
建設工事関係者が建設現場を訪問する場合に、駐車場を利用するとき、そのルート案内を実行する。このとき、建設現場の住所を取得し、さらに駐車場の住所を取得して、これらをその後自動的に使用できるように、記憶装置に記憶しておく。これにより、建設現場での利用者の様々な案内を簡単な操作で自動的に実行できる。
＜構成２の効果＞
建設現場の住所を自動的に取得することができるので、利用者の操作をより簡単にすることができる。
＜構成３の効果＞
建設現場の近隣の様々な施設を検索して案内をする場合に、自動的に建設現場の住所と利用者が使用した駐車場の住所のいずれか一方または両方を出発地とし、検索処理の結果得られた施設を目的値とすることで、利用者の操作をより簡単にすることができる。
＜構成４の効果＞
建設現場の近隣の施設への往路と復路の案内を自動的に実行して、利用者の操作を簡単にし、その便宜を図ることができる。
＜構成５の効果＞
利用者毎に、その利用者の利用した駐車場や過去の検索履歴等を記憶しておけば、その利用者の操作を簡単にし、その便宜を図ることができる。
＜構成６の効果＞
利用者の業種と検索履歴を参照することにより、どのような工事や作業が実際にいつ実行されたかを、そのまま確認することができる。このデータを工事進捗管理のために利用することもできる。
【図面の簡単な説明】
【００１６】
【図１】本発明を実施するためのシステムの構成例を示すブロック図である。
【図２】初期設定から駐車場検索処理までの操作画面説明図である。
【図３】絞込検索の例説明図である。
【図４】駐車場ＤＢ７０の構成を示す説明図である。
【図５】利用者が現在地から駐車場へ車で出発する場合の案内処理説明図である。
【図６】建設現場を訪れた利用者が近隣のコンビニエンスストアを知りたいときの処理説明図である。
【図７】コンビニエンスストアまでの案内処理の説明図である。
【図８】建材ストア検索のための処理説明図である。
【図９】車利用により検索された建材ストアに行くための案内処理説明図である。
【図１０】施設ＤＢの構成を示す説明図である。
【図１１】初期設定手段の具体的な処理動作例を示すフロー図である。
【図１２】駐車場検索依頼手段の具体的な処理動作例を示すフロー図である。
【図１３】道案内手段の具体的な処理動作例を示すフロー図である。
【図１４】施設検索依頼手段の具体的な処理動作例を示すフロー図である。
【発明を実施するための形態】
【００１７】
図１は、本発明を実施するためのシステムの構成例を示すブロック図である。
［システムの概略］
端末装置１４は、例えば、工事関係者（利用者１６）が使用する携帯電話やモバイル端末等である。ネットワーク２０は、携帯端末装置１４とウェブサーバ１２との間を広域あるいは閉域通信網で接続する。このシステムを実現するための演算処理装置２２とその演算処理に必要なデータを記憶する記憶装置２４はウェブサーバ１２側に設ける。
【００１８】
例えば、いわゆるクラウド技術により任意の携帯端末装置１４に対して以下に説明する情報サービスを提供する。携帯端末装置１４は、その表示画面１８に表示された操作画面を通じて、ウェブサーバ１２に対して要求を送信し、ウェブサーバ１２は処理結果を表示画面１８に表示する。
【００１９】
なお、このシステムは、主として建設工事関係者へのナビゲーション情報を提供するために特化されたもので、ウェブサーバ１２の記憶装置２４には、建設工事支援のために必要なデータが記憶されている。このデータは、建設工事を管理するための図示しないホストコンピュータから取得したものである。
【００２０】
［システムの利用形態の概略］
一般に、建設工事の準備段階では、建築設計事務所、測量事務所等、建物の設計担当等が建設現場を訪れる。工事が開始されると、土木工事、基礎工事、本体工事、電気工事、水道工事、検査のための役所の担当者等が代わる代わる訪れる。従って、建設現場に初めて訪れる場合には、必ず、この建設工事現場案内システムを利用させるとよい。
【００２１】
建設現場を初めて訪れる利用者、あるいは駐車場を決めていない利用者は、最初に、例えば、端末装置の該当するウェブサイトのメニュー画面を利用して、ユーザＩＤ５２あるいは建設工事ＩＤ４８を入力する。これにより、その利用者の建設現場での案内情報サービスが開始される。
【００２２】
例えば、建設工事ＩＤを入力すると、建設現場の住所が自動的に取得される。ユーザＩＤ５２によって利用者の事務所等の所在地が自動的に取得される。従って、利用者の事務所等から建設現場の近隣の駐車場までのナビゲーションが、ほぼ自動的に開始できる。さらに、利用者が使用する車の車種により駐車場を選択することもできる。
【００２３】
利用者が駐車場に到着すると、駐車場から建設現場まで歩くための案内表示も行われる。利用者が建設現場に到着して作業等が開始された後、例えば、食事に行く場合、日用品の買い物をする場合、作業に必要な様々な工具や材料を購入する場合等には、最寄の施設（店舗）を探す必要がある。そのためのナビゲーション情報も自動的に出力できる。
【００２４】
工事現場から各種施設に行く場合には、徒歩と車使用の両方についてナビゲーション情報を生成することもできる。徒歩の場合のナビゲーション情報は、記憶装置に記憶された建設現場の住所を起点として近隣施設のリストを表示する。車利用の場合のナビゲーション情報は、記憶装置に記憶された駐車場の住所を起点として、近隣施設のリストを表示する。
【００２５】
なお、近隣施設のリストは全ての利用者にとって共通だから、処理結果を記憶しておき常にそれを表示するようにすることもできる。しかしながら、建設工事は、準備開始から引き渡しまで長期間に及ぶものもあることから、最新の情報を利用できることが好ましい。従って、データベースの検索式のみを記憶しておき、繰り返し最新データを検索することもできる。
【００２６】
また、利用者が特定の施設を選択してナビゲーションを実行させたときには、往路のみならず復路についても、自動的にナビゲーションを実行する機能を持つことが好ましい。利用者が指定した施設は、その利用者が繰り返し使用する可能性が高いので、その利用者の検索履歴として残しておくことが好ましい。特に、その利用者の使用している駐車場から建設現場までのルートは、毎回、ナビゲーションの開始時あるいは終了時に案内図に表示されるようにすることが好ましい。
【００２７】
以上の案内システムは、工事関係者用の案内に特化しているので、ナビゲーションを開始させる場合に、スタート地点や目的地の住所等の入力作業を大幅に省略できる。記憶装置に記憶させた、その利用者の使用する駐車場や建設現場の住所を使用することができる。これらの機能によって、工事関係者は、煩雑な操作無しに、最小限の操作で、必要な情報を全て取得することができる。このため、現地の地理に全く不案内な人間でも、安心して建設現場を訪問し、様々な作業をこなすことができる。以下、本発明の実施例をさらに詳細に説明する。
【実施例１】
【００２８】
［システムの具体的な構成］
図１のシステムについて、さらに具体的な説明をする。図のように、ネットワーク２０を介して、ウェブサーバ１２や携帯端末装置１４や外部ＤＢ２６が相互に接続されている。利用者１６は、携帯端末装置１４の表示画面１８を見ながら、様々な情報を取得する。
【００２９】
即ち、利用者１６は携帯端末装置１４を操作して、ウェブサーバ１２にアップロードされたプログラムを実行する。これにより、駐車場へのルートに関するナビゲーションや、建設現場や駐車場から近隣の施設へのルートに関するナビゲーションが実行される。ウェブサーバ１２は、適宜、外部ＤＢ２６からナビゲーションに必要な最新のデータを取得する。
【００３０】
これらの処理を実行するために、ウェブサーバ１２には、演算処理装置２２と記憶装置２４とが設けられている。演算処理装置２２は、携帯端末装置１４に操作画面１８を表示して、各種プログラムを実行し、携帯端末装置１４の表示画面１８にその結果を表示する機能を持つ。記憶装置２４には、演算処理装置２２の演算処理に必要なデータが記憶される。
【００３１】
演算処理装置２２には、初期設定手段３０と駐車場検索依頼手段３２と施設検索依頼手段３４と道案内手段３６とアップデート管理手段３８とが備えられている。それぞれ所定の情報処理を実行する機能を持つ。その詳細な説明は後で行うが、簡単には、初期設定手段３０は、建設工事関係者のナビゲーションに特有の条件設定をする。これにより、操作性を決定的に向上させる。駐車場検索依頼手段３２は駐車場の検索を実行する機能を持つ。施設検索依頼手段３４は建設現場近隣の各種施設の検索を実行する機能を持つ。道案内手段３６は、検索結果を利用して、道順のナビゲーションを実行する機能を持つ。アップデート管理手段３８は、記憶装置２４に記憶させた各種データベース（ＤＢ）を最新版にアップデートする機能を持つ。
【００３２】
記憶装置２４に記憶された建設計画データ４６は、建設工事を管理するための図示しないホストコンピュータから取得したものである。建物の建設工事の計画ができると生成され、建設工事が完了すると消去されるデータである。建設工事とその工事関係者に関わるデータを含む。例えば、建設工事ＩＤ４８と建設現場の住所５０と工事計画と、工事関係者全員のユーザＩＤ５２や氏名、業務の種類等が含まれる。
【００３３】
［駐車場ＤＢ］
建設工事関係者は、様々な種類の車を利用する。これに対して、既存の駐車場利用案内は、例えば、利用できる車種等の情報が不足している場合もある。そこで、予めフォーマットを指定して、駐車場を提供する会社にデータの提供を求める。例えば、そのデータは、駐車場名、満空情報、位置情報、住所、電話番号、収容可能台数（車種）、駐車料金、営業時間等である。満空情報はリアルタイムでなければならないから、アップデート管理手段３８が常に最新の情報を自動的に取得して、駐車場ＤＢ７０を更新するように制御するとよい。
【００３４】
即ち、このシステムは、駐車場の検索には、記憶装置２４に記憶させた駐車場ＤＢ７０を使用する。一方、その他の施設例えば、コンビニや医療機関等については、既存のデータベースを利用する。即ち、ネットワーク２０を通じて外部ＤＢ２６を利用する。ただし、既存のシステムでは得られなかった情報があれば、それを補助データベース７２に記憶させておくとよい。システム管理者が、所定のフォーマットで、記憶させておき、該当する施設検索のときに、同時に検索対象にするとよい。
【００３５】
作業用品店ＤＢ７４や建材ストアＤＢ７６はその一例であって、専門性があることから、外部ＤＢ２６を補完することが好ましい。他の施設についても、必要があれば補助データベース７２に含めるとよい。利用者毎支援データ４７は、一度でもこのシステムを利用した利用者について、その利用者の担当する建設現場や使用している駐車場等の情報を保存しておくために使用する。操作画面ライブラリ８０は、携帯端末装置１４の表示画面１８に表示する画面のデータである。
【００３６】
［初期設定］
図２は、初期設定から駐車場検索処理までの操作画面説明図である。
図１と図２とを併用して説明する。初期設定手段３０は、ログイン画面８２を表示する。利用者１６は仮想キーボード５６を使用してユーザＩＤ５２（識別情報）とパスワードとを入力しログインボタン５８を操作する。これにより、初期設定手段３０は利用者１６を特定するための利用者データ５４を取得し、記憶装置２４に記憶させる。なお、ユーザＩＤ５２は利用者の登録番号等でよい。また、利用者データ５４は、その登録番号だけでもよいし、その利用者の氏名や業種、利用日等の様々な情報を含んでいてもよい。後者のような情報を含んだ利用者毎支援データ４７は、工事の進捗管理にも利用できる。
【００３７】
次に初期設定手段３０は、携帯端末装置１４に現場指定画面８４を表示する。利用者１６は建設工事ＩＤ４８を入力して検索開始ボタン６０を操作する。初期設定手段３０は記憶装置２４に記憶された建設計画データ４６を参照し建設現場の住所５０を読み出して記憶装置２４に記憶させる。建設現場の住所５０は、後で駐車場検索や地図データの表示等に利用できる形式データである。
【００３８】
このシステムを利用する場合、利用者１６は、例えば、そのつどログイン画面８２と現場指定画面８４とを操作する。初期設定で利用者１６にログイン画面８２を操作させるのは利用者の資格認証のためである。従って、例えば、着信番号表示機能を利用して、利用者１６の携帯電話の電話番号から自動的に利用者１６を特定して、利用者データ５４とその利用者１６の担当する建設現場の住所５０とを全自動で取得することができるようにしてもよい。この自動処理のためのデータを建設計画データ４６に含めておけば実現できる。こうすれば、一切の操作無しに、検索メニュー画面８６を表示させることもできる。
【００３９】
初期設定で建設現場の住所５０を取得して記憶装置２４に保持するのは、後で説明するように、建設工事関係者に特化した様々な便宜を図るためである。なお、同じ利用者１６が複数の建設現場を担当している場合には、現場指定画面８４で、ドロップダウンリストにより建設工事ＩＤを複数表示して選択させるようにしてもよい。
【００４０】
また、関連する工事が終了するまで、利用者毎支援データ４７に、建設工事ＩＤ４８、建設現場の住所５０、ユーザＩＤ５２、利用者データ５４、駐車場の住所６２、検索履歴６５等を関係付けて記憶させておくと、繰り返しこのシステムを利用する利用者１６に対して、自動的に初期設定をすることができる。これらのデータの内容は、後で説明する。また、上記の初期設定で、利用者データ５４で特定される利用者１６が、建設現場の住所５０で特定される建設工事現場を訪れているという記録を自動的に生成することができる。従って、日付や時刻情報とともに記録を保存しておくと、工事の進捗状況の把握のための情報として利用することもできる。
【００４１】
［駐車場検索］
初期設定が終了すると、初期設定手段３０は、図２の左下に示す検索メニュー画面８６を表示する。この画面は、駐車場のほか、ＤＩＹ、コンビニエンスストア、作業用品店、医療機関、資材ストア等の、建設工事関係者に特有の施設を検索するためにも使用される。利用者１６は、ここで、これから訪問する建設現場の近隣の駐車場を探すものとする。
【００４２】
検索メニュー画面８６の中の駐車場と表示されたボタンが操作されると、駐車場検索依頼手段３２は駐車場ＤＢ７０を参照して駐車場検索処理を実行し駐車場検索結果画面８８を表示する。
【００４３】
駐車場検索結果画面８８には、例えば、建設現場の住所５０から半径５００メートル以内にある全ての駐車場に関する情報を表示する。そして、駐車場検索結果画面８８中の特定の駐車場を選択して地図表示ボタン６３を操作すると、次に図３で説明する案内地図表示画面９２等が表示される。同時に記憶装置２４に該当する駐車場の住所６２が記憶される。駐車場検索結果画面８８中の絞込検索ボタン６４を操作すると、図３で説明する絞込検索ができる。大型車を使用した場合の候補の絞込みである。
【００４４】
図３は、絞込検索の例説明図である。
絞込み検索画面９０は、例えば、駐車場を利用する車種や利用日、利用時間等を選択して利用可能な場所の候補を絞り込むために使用する。駐車場検索依頼手段３２が検索を実行し、検索結果が駐車場検索結果画面８８により表示される。この表示形式は、図２のものと変わらない。地図表示ボタン６３を操作すると案内地図表示画面９２が表示される。
【００４５】
案内地図表示画面９２は、リスト表示された各駐車場から建設現場までの案内図を含む。利用者１６は、案内地図表示画面９２により駐車場の利便性を確認する。そして、いずれかの駐車場の部分（図中丸数字で示した部分）をクリック（以下スマートフォンの操作を想定して、タップと表現する）すると、該当する駐車場の選択ができる。駐車場検索依頼手段３２は、選択された駐車場の住所６２を記憶装置２４に記憶させる。
【００４６】
図４は、駐車場ＤＢ７０の構成を示す説明図である。
駐車場ＤＢ７０は、既に説明したように、駐車場名等を含む所定のフォーマットで構成されている。駐車場を提供する会社は、自社の駐車場の状態をこのフォーマットでウェブサーバ１２にリアルタイムで通知する。アップデート管理手段３８（図１）はその通知を受けて駐車場ＤＢ７０をアップデートする。施設検索依頼手段３４は、この駐車場ＤＢ７０を検索して、図３に示したような駐車場検索結果画面８８を検索結果として出力する。駐車場ＤＢ７０に含まれた駐車場の位置情報（座標値）と建設現場の住所５０から得られる位置情報とを比較して距離計算をして、「目的地からの距離１２０ｍ」といった表示が生成される。
【００４７】
［駐車場への案内］
図５は利用者が現在地から駐車場へ車で出発する場合の案内処理説明図である。
道案内手段３６（図１）は、図５に示すルート検索画面９４を携帯端末装置１４に表示する。出発地は携帯端末装置１４の取得する現在地１０４の位置情報を自動的に読み取る。目的地は先に記憶装置２４に記憶させておいた駐車場の住所６２である。従って、利用者１６がボタン９５を操作するだけですぐに案内が開始される。始めにルート表示画面９６が表示されて、利用者１６のルート選択を促す。その後、既知の要領でルートに沿ってナビゲーションが実行される。なお、利用者１６が出発地等を手入力しても構わない。
【００４８】
利用者１６の車が駐車場に到着すると、記憶装置２４に記憶させておいた駐車場の住所６２と建設現場の住所５０とを使用してその両方を含む案内地図表示画面９２を表示する。駐車場の住所６２から建設現場の住所５０までが十分に短距離であれば、案内地図表示画面９２の表示のみで、初めてでも駐車場から建設現場まで歩くことができる。経路が複雑であれば、徒歩用のナビゲーションを実行するとよい。出発地は駐車場の住所６２で目的地は建設現場の住所５０である。
【実施例２】
【００４９】
［施設への案内］
図６は、建設現場を訪れた利用者が近隣のコンビニエンスストアを知りたいときの処理説明図である。
起動時は常に、初期設定手段３０が検索メニュー画面８６を表示するものとする。ここで、「コンビニ」と表示したボタンが操作されると、施設検索依頼手段３４がネットワーク２０を通じて外部ＤＢ２６に検索を依頼する。コンビニエンスストアやＤＩＹや医療機関等については、既存のデータベースが充実しているから、これを利用する。このとき、施設検索依頼手段３４は、駐車場の住所６２を出発点とした検索と、建設現場の住所５０を出発点とした検索の両方を実行する。
【００５０】
建設現場から徒歩で行く方法と駐車場から車で行く方法のいずれかしかないから、この両方の検索結果を表示して、利用者１６に選択させる。建設工事のための固有の情報サービスである。例えば、図のように、複数のコンビニの住所１１０を案内地図表示画面９２に表示させて、目的地を選択させる。案内地図表示画面９２中の丸数字の場所がコンビニエンスストアの場所である。いずれかを選択すると、目的地である一件のコンビニの住所１１０が取得される。
【００５１】
図７は、コンビニエンスストアまでの案内処理の説明図である。
ルート検索画面９４で徒歩利用が選択されると、出発地には、建設現場の住所５０、目的地にはコンビニの住所１１０が自動的に設定される。ルート検索を指定するボタン９５をタップすると、建設現場の住所５０を出発点とし、コンビニの住所１１０を目的地とした徒歩ルートを示す案内地図表示画面９２が表示される。徒歩圏の場合には、複数のルートを表示するまでもないが、既知の任意の処理で構わない。その後は、既知のナビゲーションが開始される。このとき、自動的に帰りの出発地１０８にコンビニの住所１１０がセットされ、帰りの目的地１０６に建設現場の住所５０がセットされ、復路の案内も実行される。従って、携帯端末装置１４は迷うことなく、何の操作も無しに、買い物に行って、建設現場へ帰ることかできる。
【実施例３】
【００５２】
図８は、建材ストア検索のための処理説明図である。また、図９は車利用により検索された建材ストアに行くための案内処理説明図である。
図８と図９の処理は、徒歩でなく車利用である点が゛図６と図７の例と異なる。初期設定手段３０が検索メニュー画面８６を表示し、「建材ストア」と表示されたボタンをタップすると施設検索依頼手段３４が検索処理を実行する。施設検索依頼手段３４は検索結果を施設検索結果画面９８に表示する。複数の建材ストアの住所１１２が取得され、これらが、案内地図表示画面９２に表示される。
【００５３】
ここで、利用者１６がいずれかの建材ストアを選択すると、その建材ストアの住所１１２が記憶装置に記憶される。そして、ルート検索画面９４（図９）が表示される。車利用を選択すると、出発地が駐車場の住所６２に、目的地が建材ストアの住所１１２に自動的に設定される。ルート検索ボタン９５がタップされると、案内地図表示画面９２が表示される。１ルートのみの表示でも複数ルートの表示でも構わない。
【００５４】
なお、建設現場と駐車場との間の行き来に慣れていない人のために、この例では、往路では最初に、復路では最後に建設現場と駐車場との間の徒歩ルート案内を表示するとよい。単に建設現場と駐車場を含む地図の表示のみでも構わない。往路では駐車場についたときに車用のナビゲーションが開始され、復路では施設を出るときに車用のナビゲーションが開始されるようにするとよい。
【００５５】
図１０は、施設ＤＢの構成を示す説明図である。
施設ＤＢ６８は、例えば、店舗名、位置情報、住所、電話番号、営業時間、その他の営業データを含む。これらのデータは、外部ＤＢ２６からそのまま取得できる。これらを施設検索結果画面９８に表示すればよい。不足する情報は空きにしておけばよい。営業情報データは、店舗等の各施設が自由に作成している広告等である。検索結果とリンクさせるとよい。また、駐車場の住所６２や建設現場の住所５０と施設の位置情報を利用して、上記のナビゲーションが可能になる。
【実施例４】
【００５６】
［コンピュータプログラム］
図１１は、初期設定手段の具体的な処理動作例を示すフロー図である。
以下のフロー図と図１等を使用して、プログラムによる各処理動作の具体例を説明する。まず、初期設定手段３０は、利用者１６の操作により、ステップＳ１１で携帯端末装置１４にログイン画面８２の表示をする。そして、その画面を使用して、初期設定手段３０は、ステップＳ１２でユーザＩＤ５２の取得をする。ステップＳ１３で、取得したユーザＩＤ５２を記憶装置に記憶させる。さらにその利用日等を含む利用者データ５４を生成して、記憶装置２４に保存する。
【００５７】
ステップＳ１４で初期設定手段３０は、携帯端末装置１４に現場指定画面８４の表示をする。ステップＳ１５では、その画面を利用して建設工事ＩＤ４８の取得をする。ステップＳ１６で、この建設工事ＩＤ４８をキーにして、建設計画データ４６を参照する。そして、ステップＳ１７で、建設現場の住所５０を取得し、記憶装置２４に保存する。
【００５８】
次に、初期設定手段３０は、ステップＳ１８で、図１に示した利用者毎支援データ４７を生成する。即ち、ユーザＩＤ５２をキーとして、建設工事ＩＤ４８や建設現場の住所５０や駐車場の住所６２等を関連させて記憶装置２４に記憶する。これにより、ある利用者がログインしたとき、その利用者の使用している駐車場の住所６２をただちに読み出すことができる。
【００５９】
また、建設計画データ４６を参照して、利用者データ５４に、利用者の氏名や担当業務等を書き加えておく。これと検索履歴６５とを参照すると、どの工事の担当者がいつ頃建設現場を訪問したかを知ることができ、工事の進捗管理にも利用できる。最後に、ステップＳ１９で、検索メニュー画面８６の表示をする。これで、初期設定処理が完了する。
【００６０】
図１２は、駐車場検索依頼手段の具体的な処理動作例を示すフロー図である。
図１１で説明をした処理で、携帯端末装置１４に検索メニュー画面８６が表示された。ステップＳ２１でこの状態を示す。ここから、駐車場検索依頼手段３２の処理が開始される。ステップＳ２２では、携帯端末装置１４の表示画面１８が操作され、駐車場検索要求の受付をする。この要求に従って、駐車場検索依頼手段３２はステップＳ２３で駐車場ＤＢ７０の検索をする。
【００６１】
ステップＳ２４では、駐車場検索結果画面８８の表示をする。例えば、ステップＳ２５で、絞込み検索の要求が受付けられたとする。これにしたがって、ステップＳ２６で絞込み処理をし、ステップＳ２７で、更新された駐車場検索結果画面８８の表示をする。そして、いずれかの駐車場を選択させるために、ステップＳ２８で、案内地図表示画面９２の表示をする。駐車場検索依頼手段３２は、ステップＳ２９で駐車場選択の受付をする。ステップＳ３０では、選択された駐車場の住所６２を、駐車場ＤＢ７０から取得して、記憶装置２４に保存する。
【００６２】
図１３は、道案内手段の具体的な処理動作例を示すフロー図である。
道案内手段３６は、ステップＳ３１でナビゲーションを開始する。ステップＳ３２では、携帯端末装置１４にルート検索画面９４の表示をする。そして、ステップＳ３３で、出発地の欄に自動的に、端末装置の位置情報を入力する。さらにステップＳ３４で、目的地の欄に、自動的に駐車場の住所６２を入力する。
【００６３】
続いて、ステップＳ３５で、次の目的地の欄に、建設現場の住所５０を入力する。そして、道案内手段３６は地図上でルート探索を実行する。即ち、ルート探索の開始時には、利用者１６は何の入力操作も必要ない。ステップＳ３６で、その結果得られたルート表示画面９６の表示をする。ステップＳ３７では、複数のルートの中からルート選択の受付をする。ルートが選択されると、ステップＳ３８で、よく知られたナビゲーション処理を実行する。その後、ステップＳ３９で、利用者毎支援データ４７が生成される。検索履歴６５により、ナビゲーションが実行されたことがわかる。この利用者毎支援データ４７により、利用者が駐車場を経て建設現場に到着したという状態も確認できる。
【００６４】
図１４は、施設検索依頼手段の具体的な処理動作例を示すフロー図である。
このフローは、検索メニュー画面８６に表示された各種施設の探索とナビゲーションに広く利用することができる。施設検索依頼手段３４は、ステップＳ４１で、検索メニュー画面８６の表示をする。ここで、利用者１６によりいずれかのボタンがタップされると、ステップＳ４２で、その施設検索要求を受付けする。
【００６５】
施設検索依頼手段３４は、ステップＳ４３で、ネットワーク２０を通じて外部ＤＢ２６へ検索依頼をする。そして、検索結果を受信すると、ステップＳ４４で、施設検索結果画面９８の表示をする。その地図上の位置を示すために、ステップＳ４５で、案内地図表示画面９２の表示をする。利用者１６は、複数の施設が表示されたとき、いずれかの施設を選択する。施設検索依頼手段３４は、ステップＳ４６で、その施設選択の受付をする。
【００６６】
次に、道案内手段３６の処理に移る。道案内手段３６は、ステップＳ４７で、選択された施設の住所を取得して、記憶装置２４に保存する。その後、ステップＳ４８で、出発地と目的地の自動設定をする。即ち、既に説明したように、徒歩なら建設現場を出発地にする。車利用なら、駐車場を出発地にする。必要に応じて駐車場と建設現場の間の徒歩案内図も含める。この場合の操作も、自動入力によりきわめて簡便になる。
【００６７】
その後、ステップＳ４９で、往路ナビゲーションの実行をする。ステップＳ５０では、この検索式や検索結果等を含むデータを生成する。そのデータを利用者毎支援データ４７に含める。そして、記憶装置２４に保存する。利用者が施設から建設現場に戻るときには、ステップＳ５１では、復路ナビゲーションを実行する。ステップＳ５２では、ステップＳ５０と同様に、利用者毎支援データ４７を生成して、記憶装置２４に保存する。
【００６８】
こうした施設の検索式を利用者毎支援データ４７に含めて記憶装置２４に記憶させておけば、同じ施設に再度訪問するときに、自動的に最新のデータベースを利用して、施設の検索をして結果を出力させることができる。また、利用者１６が建設現場に不在のときに、いずれかの施設を訪問中かどうかもこのシステムを利用して知ることができる。
【符号の説明】
【００６９】
１２  ウェブサーバ
１４  携帯端末装置
１６  利用者
１８  表示画面
２０  ネットワーク
２２  演算処理装置
２４  記憶装置
２６  外部ＤＢ
３０  初期設定手段
３２  駐車場検索依頼手段
３４  施設検索依頼手段
３６  道案内手段
３８  アップデート管理手段
４６  建設計画データ
４７  利用者毎支援データ
４８  建設工事ＩＤ
５０  建設現場の住所
５２  ユーザＩＤ
５４  利用者データ
５６  キーボード
５８  ログインボタン
６０  検索開始ボタン
６２  駐車場の住所
６３  地図表示ボタン
６４  絞込み検索ボタン
６５  検索履歴
６８  施設ＤＢ
７０  駐車場ＤＢ
７２  補助データベース
７４  作業用品店ＤＢ
７６  建材ストアＤＢ
８０  操作画面ライブラリ
８２  ログイン画面
８４  現場指定画面
８６  検索メニュー画面
８８  駐車場検索結果画面
９０  絞込み検索画面
９２  案内地図表示画面
９４  ルート検索画面
９５  ボタン
９６  ルート表示画面
９８  施設検索結果画面
１０４  現在地
１０６  帰りの目的地
１０８  帰りの出発地
１１０  コンビニの住所
１１２  建材ストアの住所
【図１】
2015045589.tif 000003
【図２】
2015045589.tif 000004
【図３】
2015045589.tif 000005
【図４】
2015045589.tif 000006
【図５】
2015045589.tif 000007
【図６】
2015045589.tif 000008
【図７】
2015045589.tif 000009
【図８】
2015045589.tif 000010
【図９】
2015045589.tif 000011
【図１０】
2015045589.tif 000012
【図１１】
2015045589.tif 000013
【図１２】
2015045589.tif 000014
【図１３】
2015045589.tif 000015
【図１４】
2015045589.tif 000016